(57)【要約】【課題】  極めて簡便な方法で作製することが可能であり、視野角が広く、映し出された映像の画質も良好であるスクリーンを提供する。【解決手段】  インクジェット記録性を有する光透過性のシート状基材１０の、少なくとも片面の全面或いは所望の領域に、白色顔料インクを主成分とするインクを用いてインクジェットプリンタでベタ（全領域）印字することによりスクリーン部２０を形成し、スクリーンシートとする。スクリーン部は、印字濃度を調整することにより、透過型、反射型或いは透過型／反射型両用のスクリーンとなる。【選択図】図２
2006276413.tif 000002
【特許請求の範囲】
【請求項１】
インクジェット記録性を有し、光透過性のシート状基材と、前記基材の少なくとも片面の全面或いは所望の領域に形成されたスクリーン部とを有し、前記スクリーン部はインクジェットプリンタにより白色顔料インクを主成分とするインクを用いてベタ（全領域）印字することにより形成されたことを特徴とするスクリーンシート。
【請求項２】
インクジェット記録性を有する光反射性基材と、前記基材の少なくとも片面の全面或いは所望の領域に形成されたスクリーン部とを有し、前記スクリーン部はインクジェットプリンタにより白色顔料インクを主成分とするインクを用いてベタ（全領域）印字することにより形成されたことを特徴とするスクリーンシート。
【請求項３】
請求項１又は２に記載のスクリーンシートであって、前記インクは白色顔料のほかの着色剤を含むことを特徴とするスクリーンシート。
【請求項４】
請求項１又は３に記載のスクリーンシートであって、前記スクリーン部の全光線透過率が６０％以上、７０％以下であって透過型スクリーンであることを特徴とするスクリーンシート。
【請求項５】
請求項１又は３に記載のスクリーンシートであって、前記スクリーン部の全光線透過率が４０％以上、６０％以下であって透過型／反射型両用スクリーンであることを特徴とするスクリーンシート。
【請求項６】
請求項５記載のスクリーンシートであって、前記スクリーン部の全光線透過率が４５％以上、５５％以下であって透過型／反射型両用スクリーンであるスクリーンシート。
【請求項７】
請求項１ないし３のいずれか１項に記載のスクリーンシートであって、前記スクリーン部の全光線透過率が４０％以下であって反射型スクリーンであるスクリーンシート。
【請求項８】
請求項７記載のスクリーンシートであって、前記基材は、少なくとも、前記スクリーン部が形成される前記所望の領域に、遮光層を有することを特徴とするスクリーンシート。
【請求項９】
インクジェット記録性を有し、光透過性のシート状基材の少なくとも片面の所望の領域に、インクジェットプリンタにより白色顔料インクを主成分とするインクを用いてベタ（全領域）印字することによりスクリーン部を形成するスクリーンシートの製造方法であって、印字濃度を調整することにより前記スクリーン部の全光線透過率を調節し、透過型、反射型或いは透過型／反射型両用のいずれかであるスクリーン部を形成することを特徴とするスクリーンシートの製造方法。
【請求項１０】
請求項９記載のスクリーンシートの製造方法であって、インクジェットプリンタによるスクリーン部の印字と同時に、前記スクリーン部以外の領域に任意の印字を行なうことを特徴とするスクリーンシートの製造方法。
【発明の詳細な説明】
【技術分野】
【０００１】
本発明は、シート状のスクリーンに関し、特にシート状基材の全面或いは一部に透過型、反射型或いは透過型／反射型両用のスクリーン部を形成したスクリーンシートに関する。
【背景技術】
【０００２】
スクリーンには、プロジェクタからの光を、映像を観る者の側から照射する反射型スクリーンと、スクリーンの裏側から照射する透過型スクリーンとがあり、用途に応じて使い分けられている。
【０００３】
反射型スクリーンとしては、基材上に反射層、光拡散層などを積層したものが広く用いられている。また透過型スクリーンとしては、裏側から照射された放射状に広がる光を集光し、表側から出射させるためにフレネルレンズ等を用いたものが主流であり、フレネルレンズに光拡散材などを組合わせたものが各種提案されている（例えば、特許文献１）。また本出願人により、基材の一方の面に光拡散層を設け、スクリーン全体のヘーズや全光線透過率などを調整したものも提案されている（特許文献２）。
【０００４】
さらに数は少ないが、反射型と透過型のいずれにも用いることが可能なスクリーンも提案されている（特許文献３）。このスクリーンは、基材上に金属蒸着により形成した光半透過膜を設けたことにより、両方の性能を満たしている。
【特許文献１】特開平６−１０２５８３号公報
【特許文献２】特開２００５−２４９４２号公報
【特許文献３】特開平９−１１４００３号公報
【発明の開示】
【発明が解決しようとする課題】
【０００５】
従来のスクリーンでは、そのタイプに応じて全く異なる設計思想で反射型或いは透過型スクリーンが作製されており、タイプ毎に異なる製造ラインを設ける必要がある。また従来は、スクリーンの周囲や端部などに文字や絵柄などを印刷する場合には、スクリーンの製造とは別に印刷を行う必要がある。
【０００６】
本発明は、極めて簡便な方法で作製することが可能であり、しかも視野角が広く映し出された映像の画質も良好である透過型スクリーン、反射型スクリーン或いは透過型／反射型両用スクリーンを提供することを目的とする。
【０００７】
また本発明は、単一の手法で透過型スクリーン、反射型スクリーン或いは透過型／反射型両用スクリーンを作製することができるとともに、スクリーンの作製と同時に文字や絵柄等の印刷を行うことが可能なスクリーンの製造方法を提供することを目的とする。
【課題を解決するための手段】
【０００８】
上記目的を達成する本発明のスクリーンシートは、インクジェット記録性を有し、光透過性のシート状基材と、前記基材の少なくとも片面の全面或いは所望の領域に形成されたスクリーン部とを有し、前記スクリーン部はインクジェットプリンタにより白色顔料インクを主成分とするインクを用いてベタ（全領域）印字することにより形成されたことを特徴とする。
【０００９】
また本発明のスクリーンシートは、インクジェット記録性を有する光反射性基材と、前記基材の少なくとも片面の全面或いは所望の領域に形成されたスクリーン部とを有し、前記スクリーン部はインクジェットプリンタにより白色顔料インクを主成分とするインクを用いてベタ（全領域）印字することにより形成されたことを特徴とする。
【００１０】
本発明のスクリーンシートにおいて、前記インクは白色顔料のほかの着色剤を含んでいてもよい。
【００１１】
また本発明のスクリーンシートは、例えば、スクリーン部の全光線透過率が６０％以上、７０％以下であって透過型スクリーンである。
また本発明のスクリーンシートは、例えば、スクリーン部の全光線透過率が４０％以上、６０％以下、好適には４５％以上、５５％以下であって透過型／反射型両用スクリーンである。
さらに本発明のスクリーンシートは、例えば、スクリーン部の全光線透過率が４０％以下であって反射型スクリーンである。
【００１２】
本発明のスクリーンシートにおいて、基材は、少なくとも、前記スクリーン部が形成される所望の領域に、遮光層を有するものとすることができる。
【００１３】
本発明のスクリーンシートの製造方法は、インクジェット記録性を有し、光透過性のシート状基材の少なくとも片面の所望の領域に、インクジェットプリンタにより白色顔料インクを主成分とするインクを用いてベタ（全領域）印字することによりスクリーン部を形成するスクリーンシートの製造方法であって、印字濃度を調整することにより前記スクリーン部の全光線透過率を調節し、透過型、反射型或いは透過型／反射型両用のいずれかであるスクリーン部を形成することを特徴とする。
【００１４】
また本発明のスクリーンシートの製造方法は、インクジェットプリンタによるスクリーン部の印字と同時に、前記スクリーン部以外の領域に任意の印字を行なうステップを含んでいてもよい。
【発明の効果】
【００１５】
本発明によれば、極めて簡便な方法で性能の優れたスクリーンを提供することができる。またインクジェットプリンタの印字濃度を調整するのみで、所望のタイプのスクリーンを製造することができる。またスクリーンの製造と同時にスクリーン部以外の印刷を行なうことができる。
【発明を実施するための最良の形態】
【００１６】
以下、本発明の実施の形態を説明する。
本発明のスクリーンシートは、図１に示すように、基本的な要素として基材１０と基材の所望の領域に形成されたスクリーン部２０とからなり、スクリーン部２０はインクジェットプリンタにより白色顔料インクを用いてその領域をベタ印字することによって形成されたものである。
【００１７】
基材１０としては、インクジェット記録性を有し、実質的に光透過性を有するものを使用することができる。またスクリーン部２０が反射型である場合には、基材としては光反射性の基材を用いることも可能である。
【００１８】
インクジェット記録性を有し、実質的に光透過性を有する基材としては、アクリル樹脂やポリ塩化ビニルなどから形成されたプラスチックフィルムをそのまま用いることも可能であるが、光透過性を有する支持体１１上にインク受容層１２を設けたものが好適である。
【００１９】
このようなインクジェット記録性基材の支持体としては、光透過性を有するものであれば特に限定されず、ガラスやプラスチックからなる板状のもの、フィルム状のもの等を使用することができるが、インクジェットプリンタへの適用しやすさの点でフィルム状のものが好適である。
【００２０】
具体的には、ポリエチレンテレフタレート、ポリブチレンテレフタレート、ポリエチレンナフタレート、ポリカーボネート、ポリプロピレン、ポリエチレン、ポリアリレート、アクリル、アセチルセルロース、ポリ塩化ビニル等のプラスチックフィルム或いはシートが使用でき、延伸加工、特に二軸延伸加工されたものは、機械的強度が向上されるので好ましい。
【００２１】
インク受容層は、インクジェット記録用インクに対し受容性がある材料であればよく、公知のインクジェット記録材料に用いられている材料が採用できる。具体的には、水系インクの場合には、ポリビニルアルコール、ポリビニルピロリドン、ヒドロキシセルロース、メラミン樹脂、ポリアクリル酸、ポリアクリル酸エステル、ナイロン、アクリルアミド共重合体、ゼラチン、カゼイン、でんぷん、キチン、キトサンなどの親水性樹脂を主体とするものが用いられる。また溶剤系（油系）インクの場合には、溶剤によって異なるが、例えばポリビニルアセタール樹脂、アクリル酸エステル共重合体、ポリスチレン樹脂、スチレン−ブタジエン共重合体や加硫化ゴムなどのゴム系樹脂、石油系樹脂などを主体とするものが用いられる。特に近年開発されたグリコールエーテル及びアルキレングリコールを溶剤として用いる溶剤系インクの場合には、ポリビニルアセタール樹脂が好適である。
【００２２】
また光反射性基材としては、表面の反射率が９０％以上の反射性を持つ板状、フィルム状又はシート状のものが用いられる。このようなものとしては、アルミニウムや銀などの金属を板状、フィルム状、シート状等にしたものを用いることもできるが、高分子樹脂を板状、フィルム状、シート状にしたものの上やガラス板の上に、蒸着やスパッタリング等により金属を膜状に形成したものや、ペースト状にした金属を膜状に塗布形成したものを用いることが好ましい。また、ホットスポットの発生を抑え、かつ拡散性を高めるために白色顔料を練り込んだ高分子樹脂をシート状等にしたものを用いることも可能である。
【００２３】
光反射性基材についても、インクジェット記録性を付与するために、上述したインク受容層を設けることが好ましい。
【００２４】
基材の厚みは、特に限定されないが、インクジェットプリンタへの適用性を考慮し、５０μｍ〜２００μｍ、好ましくは７５μｍ〜１２５μｍ程度である。
【００２５】
スクリーン部２０は、インクジェット用の白色顔料インクからなる層で、インクジェットプリンタでベタ印字することにより形成される。このようにスクリーン部２０は、インクジェットプリンタで形成することができるので、基材１０の全面に設けてもよいし、基材の所望の部分に任意の形状で設けてもよい。図２に示す例では、基材１０の中央部分にスクリーン部２０を設けるとともに、スクリーン部２０の内部に文字をかたどった印字抜け部２５を形成している。基材１０の、スクリーン部２０を設けていない部分には、装飾３０が設けられている。このような装飾３０もスクリーン部２０を印字によって形成する際に同時にインクジェットプリンタで印刷することができる。
【００２６】
スクリーン部のタイプ（透過型、反射型、透過型／反射型両用）は、インクジェット印字の際の印字濃度を調整することにより任意に選択できる。具体的には、基材を含む全光線透過率を６０％以上、７０％以下となるように印字濃度を調整した場合には、透過型スクリーンとして好ましく使用することができる。また全光線透過率を４０％以上、６０％以下となるように調整した場合には、透過型／反射型両用スクリーンとして好ましく使用することができる。この場合、特に全光線透過率を４５〜５５％の範囲とすることにより、反射型スクリーンとしても透過型スクリーンとしても性能のバランスがよく視認性に優れたスクリーンを得ることができる。また全光線透過率を４０％以下にした場合には、反射型スクリーンとして好ましく使用することができる。
【００２７】
印字濃度によって全光線透過率を調整するためには、例えば、予め基材と同じ材料の試料を用いて、印字濃度と全光線透過率との関係を表す検量線（グラフ或いは関数）を得ておき、実際に印字する際にこの検量線をもとに印字濃度を調整する方法を採用することができる。印字濃度の調整は、プリンタ自体が印字濃度の幅を調整可能なものであればそれを利用できる。またプリンタで調整できる印字濃度の幅が狭い場合或いは印字濃度の調整ができない場合には、印字回数を調整する。そして印字回数と全光線透過率との関係を予め得ておき、この関係をもとに印字回数を設定することにより、所望の全光線透過率にすることができる。
【００２８】
インクジェット印字に用いる白色顔料インクとしては、シリカ、アルミナ、炭酸カルシウム、酸化亜鉛、酸化チタン等の無機白色顔料や、アルキレンビスメラミン誘導体、ビススチリル誘導体などの有機白色顔料を、必要に応じて分散剤とともに水などの分散媒に分散させたものを用いることができる。特に白色顔料としては、特に隠蔽性が良好な酸化チタンが好適である。
【００２９】
また白色顔料インクは、上述した白色顔料のほか、少量の着色顔料を含んでいても良い。例えば、白色顔料に加えてカーボンブラックなどの黒色顔料や銅フタロシアニンブルーなどの青色顔料を加えることにより、スクリーン部の色を薄い灰色や青みのある白色など好みの色に調整できる。但し、白色顔料のほかの着色顔料は、インクに含まれる顔料全体に対し、７５％を超えないこと、さらには５０％を越えないことが好ましい。
【００３０】
白色顔料の粒子径は、０．０１μｍ〜１．０μｍが好ましく、特に０．０５〜０．５μｍが好ましい。白色顔料の粒子径が、上述した範囲にあることにより、スクリーン部に適当な光拡散性を付与し、視野角が広く映像が見やすいスクリーン部とすることができる。
【００３１】
白色顔料インクは、水系、溶剤系のいずれでもよいが、顔料の分散性が良好で耐水性が優れている溶剤系、特にグリコールエーテルとアルキレングリコールを主成分とするグリコール系インクが好適である。
【００３２】
インクジェットプリンタとしては、上述した白色顔料インクで印字可能なものであれば特に限定されず、汎用のインクジェットプリンタを使用することができる。
【００３３】
スクリーン部を反射型とする場合には、基材１０の、スクリーン部２０が形成される面とは反対側の面或いはスクリーン部２０と基材１０との間に、遮光層を設けても良い。
【００３４】
遮光層としては、公知のものを採用することができる。例えば遮光層は、高分子樹脂とカーボンブラック、グラファイト、チタンブラックなどの黒色染顔料、アルミニウム、銀などの金属粉などの着色剤から形成される。
【００３５】
本発明のスクリーンシートでは、基材がインクジェット記録性を有しているので、このような遮光層も、黒色インク等を用いてインクジェットプリンタでベタ印字することにより形成することが可能である。但し、遮光層を基材の裏面に設ける場合には、基材の裏面側もインクジェット記録性を有していることが必要である。
【００３６】
本発明のスクリーンシートは、上述したように光透過性基材或いは光反射性基材の所望の領域に白色顔料インクを用いてインクジェットプリンタによりベタ印字することにより容易に形成することができる。その際、印字濃度を調整することにより、スクリーン部を透過型、反射型、透過型／反射型両用のいずれにもすることができる。
【実施例】
【００３７】
以下、本発明のスクリーンシートの実施例を説明する。
【００３８】
［実施例１〜３］
市販の光透過性のインクジェット記録用紙（スーパーキモアートＳＰ：きもと社）の印字面に、インクジェットプリンタ（ＳＣ５４０ＥＸＷ：ローランドディー．ジー．社）でベタ印字で印刷回数を変えて印刷した複数のスクリーンシートを得た。これらスクリーンシートの全光線透過率を測定し、印刷回数と全光線透過率との関係を調べた。結果を図３に示す。
【００３９】
全光線透過率が６７％であったスクリーンシート（実施例１）、全光線透過率が６２％であったスクリーンシート（実施例２）、全光線透過率が５４％であったスクリーンシート（実施例３）を、プロジェクタを用いて透過型スクリーンとして使用したところ、鮮明な映像が映し出された。また実施例１〜３のスクリーンシートについて、入射角２５°の透過光でスクリーンゲイン（正面輝度／（入射照度×全光線透過率／π））を測定したところ全て１．５以上であった。
【００４０】
また実施例３のスクリーンシートについて、プロジェクタ側から映像を確認、すなわち反射型スクリーンとして使用したところ、鮮明な映像が映し出されていた。
【００４１】
一方、参考例として、入射角２５°の透過光でのスクリーンゲインが１．５である市販の光拡散性を利用した透過型スクリーンを、上記と同様にして透過型と反射型の両方で使用してみたところ、透過型と反射型の両方とも、実施例１〜３のスクリーンシートと比べてコントラストや色合いが劣るものとなった。
【００４２】
次に、実施例３のスクリーンシートの裏面にアルミ蒸着したフィルムを貼り合わせて反射層を形成し、実施例４のスクリーンシートとした。この実施例４のスクリーンシートを、プロジェクタを用いて反射型スクリーンとして使用したところ、鮮明な映像が映し出された。
【００４３】
以上の結果からもわかるように、実施例のスクリーンは極めて簡単に製造することができ、しかも市販のスクリーンよりも優れた性能を示した。
【図面の簡単な説明】
【００４４】
【図１】本発明のスクリーンシートの一実施の形態を示す断面図
【図２】本発明のスクリーンシートの一実施の形態を示す平面図
【図３】本発明のスクリーンシートにおける印字回数と全光線透過率との関係を示すグラフ。
【符号の説明】
【００４５】
１０・・・基材
２０・・・スクリーン部
３０・・・装飾（文字等の印刷部）
【図１】
2006276413.tif 000003
【図２】
2006276413.tif 000004
【図３】
2006276413.tif 000005